(57)【要約】      （修正有）【課題】収納する際、折り畳めることによりコンパクトに整理収納でき、また、弁当箱として使用する際も、食後はコンパクトに持ち帰ることができる密閉容器を提供する。【解決手段】容器本体１ａ．１ｂと該容器本体１ａ．１ｂに嵌合可能な蓋体とからなる合成樹脂製の折り畳み式密閉容器において、前記容器本体１ａ．１ｂの４つの各側壁部に側壁部を内側に折り畳み得る折り縁３を水平方向に形成し、側壁部６のうち一方の対向側壁部６の各両端部に折り畳み縁５を斜設方向に形成し、この対向する側壁部６を折り縁３を介して、内側に折り込んだ際、この折り畳まれる側壁部６と連接されている他方の対向側壁部６が折り縁３と折り畳み縁５を介して一方の対向側壁部６に重合するように容器本体１ａ．１ｂが内側に偏平状態に折り畳まれ、且つ、容器本体１ａ．１ｂの底部外周に立上り片７を突設し折り畳んだ状態を保持できる。【選択図】図１
0003167921.tif 000002
【実用新案登録請求の範囲】
【請求項１】
上面に開口部２を有する、折り畳み自在に構成された方形箱状の容器本体１ａ．１ｂと該容器本体１ａ．１ｂに嵌合可能な蓋体８とからなる合成樹脂製の折り畳み式密閉容器において、前記容器本体１ａ．１ｂの４っの各側側壁部６に側壁部６を内側に折り畳み得る折り縁３を水平方向に形成し、前記側壁部６のうち、一方の対向側壁部６の各両端部に折り畳み縁５を斜設方向に形成し、側壁部６の短辺の方を内側に折り込んだ際、この折り畳まれる側壁部６と連接されている対向側壁部６が前記折り縁３並びに前記折り畳み縁５並びに角折り縁４を介して重合するように内側に折り畳まれ、前記容器本体１ａ．１ｂが偏平状態に折り畳まれるように構成された折り畳み式密閉容器。
【請求項２】
前記蓋体８を前記容器本体１ａ．１ｂの開口上部２に嵌合し得るように構成し、且つ、前記側壁部６を内側に折り畳んだ状態で、前記蓋体８が偏平状態となった前記容器本体１ａ．１ｂに嵌合し得るように、前記容器本体１ａ．１ｂの底部外周に立上り片７を突設したことを特徴とする請求項１記載の折り畳み式密閉容器。
【考案の詳細な説明】
【技術分野】
【０００１】本考案は、食品その他ペースト状、粉末状のものを収容できる合成樹脂製の折り畳み式密閉容器に関するものである。
【背景技術】
【０００２】従来の密閉容器は、固定された形状のもので、折り畳めるものは無かった。
また、折り畳み式の紙製の弁当箱、或いはサンドイッチやおにぎりを収容する合成樹脂製の折り畳み式容器はあるものの、折り畳み式の密閉容器は無かった。
【先行技術文献】
【特許文献】
【０００３】
【特許文献１】特開平１０−２６４９２０号  公報
【非特許文献】
【０００４】
【非特許文献１】水野産業株式会社  ＥＦＦＩＣＩＥＮＴ  ＳＥＲＶＩＣＥ  Ｖｏｌ．２１  ２００３（テイクアウト容器とケイタリングサービス用品／総合カタログ）Ｐ６０．６１．６２．２３５．２３６
【考案の概要】
【考案が解決しようとする課題】
【０００５】  従来の密閉容器は固定された形状のものであるため、使用しない幾つもの密閉容器を収納する際大変収納場所をとっていたが、折り畳めることによりコンパクトに整理、収納でき、また弁当箱として使用する際も食後はコンパクトに持ち帰ることができるという便利さを提供し、且つ前述の問題点を解決するものである。
【課題を解決するための手段】
【０００６】  上部が開口した折り畳み自在に構成された方形箱状の容器本体１ａ．１ｂと該容器本体１ａ．１ｂに嵌合可能な蓋体８とからなる合成樹脂製の折り畳み式密閉容器において、前記容器本体１ａ．１ｂの４っの各側壁部６に側壁部６を内側に折り畳み得る折り縁３を水平方向に形成し、前記側壁部６のうち一方の対向側壁部６の各両端部に折り畳み縁５を斜設方向に形成し、側壁部６の短辺の方を内側に折り込んだ際、この折り込まれる側壁部６と連接されている対向側壁部６が前記折り縁３並びに前記折り畳み縁５並びに角折り縁４を介して重合するように内側に折り畳まれ、前記容器本体１ａ．１ｂが偏平状態に折り畳まれることになることを特徴とする。【０００７】  また、前記蓋体８を前記容器本体１ａ．１ｂの開口上部２に嵌合し得るように構成し、且つ前記側壁部６を内側に折り畳んだ状態で、前記蓋体８が偏平状態となった前記容器本体１ａ．１ｂに嵌合し得るように前記容器本体の底部外周に立上り片７を突設したことを特徴とする。
【考案の効果】
【０００８】  本考案は、容器本体の１ａ．１ｂの側壁部６に折り縁３、及び折り畳み縁５、角折り縁４を構成して折り畳める形状にしたので、従来の固定された形状の密閉容器を収納する際、かなり場所をとっていたという問題点を解決し、コンパクトに整理、収納出来るという便利さを提供する。【０００９】  請求項２記載の考案においては、容器本体を使用する状態でも折り畳んだ状態でも蓋体を嵌合し得るように構成したので、折り畳んだ状態で蓋をすればコンパクトに折り畳んだ状態を保持することができる。
【図面の簡単な説明】
【００１０】
【図１】（ａ）容器本体１ａの斜視図  （ｂ）容器本体１ｂの斜視図
【図２】蓋体の斜視図
【図３】容器本体１ａの側壁部を内側に半分折り畳んだ状態の斜視図
【図４】容器本体１ｂの短辺の方の側壁部を内側に折り畳んだ状態の斜視図
【図５】容器本体１ａを折り畳んだ状態を真上から見た平面図
【図６】容器本体１ｂを折り畳んだ状態を真上から見た平面図
【図７】容器本体１ａ．１ｂに蓋をした状態の断面図
【図８】容器本体１ａを折り畳んで蓋をした状態の断面図
【図９】容器本体１ｂを折り畳んで蓋をした状態の断面図
【考案を実施するための最良の形態】
【００１１】  上面に開口部２を有する方形箱状の容器本体１ａ．１ｂに食品その他ペースト状のもの及び粉末状のものを入れ、この容器本体１ａ．１ｂの開口上部２に蓋体８を嵌合させて使用する。【００１２】  使用しない時は、蓋体８を取り外した状態で、容器本体１ａ．１ｂの側壁部６に設けた折り縁３、及び折り畳み縁５、並びに角折り縁４を介して、対向側壁部がそれぞれ重合するように折り畳まれて、偏平状態になった容器本体１ａ．１ｂに蓋体８を嵌合させてコンパクトにし収納する。【００１３】  また、再度使用するときは、蓋体８を取り外し、側壁部６の内側を指で外側に押し開けば、側壁部６に設けた折り縁３、及び折り畳み縁５、並びに角折り縁４によって各側壁部６が外側に押し開かれて、立設状態となり、食品その他ペースト状のもの及び粉末状のものを収容することができる。
【実施例】
【００１４】  以下、添付図面に従って一実施例を説明する。
容器本体図１の１ａ．１ｂは上面に開口部２を有する方形箱状の容器で、容器底部１０の周縁に沿って４っの側壁部６が水平なヒンジ状の折り縁３と４っの側壁部６のそれぞれの両端がヒンジ状の角折り縁４を介して、側壁部６が一体となった立設状態に構成されている。【００１５】  この折り縁３は、内側に折り畳まれやすいように、折り縁３の外側が凹んだヒンジ状になっている。【００１６】  また、この折り縁３は、対向側壁部６が折り重なりやすいように長辺の折り縁３が短辺の折り縁３より、わずか数ｍｍ上にずらして構成されている。【００１７】  また、本実施例では、折り畳んだ状態が、より好適となるよう容器本体図１の１ａ．１ｂのそれぞれの容器本体底部１０からそれぞれの上面開口部２までを垂直に測り、その長さによって容器本体の折り畳みの構造を図１の（ａ）と（ｂ）の２通りにする。【００１８】  図１の（ａ）は側壁部６を容器本体底部１０から上面開口部２までを垂直に測った長さが側壁部６に設けた短辺の折り縁３の長さの半分以下の場合の折り畳みの構造とする。【００１９】  容器本体１ａの折り畳み縁５は、短辺の折り縁３と角折り縁４のなす角の二等分線方向（即ち４５度の傾斜）に形成され、内側に押し畳まれやすいように内側が凹んだヒンジ状になっている。【００２０】  従って、この折り畳み縁５の設けてある側壁部中央付近を指で内側に押せば、図３に見られるように、各対向側壁部６は、折り縁３と角折り縁４を介して連接しているから、それぞれの側壁部６が簡単に重合状態となり、且つ、容器本体１ａの上面の開口部分は重なり合わず、容器本体１ａが偏平状態に折り畳まれる。【００２１】  また、図１の（ｂ）は図１の（ａ）に対し、側壁部６を容器本体底部１０から上面開口部２までを垂直に測った長さが、側壁部６に設けた折り縁３の短辺の長さの半分以上の場合、折り畳んだ際に容器本体１ｂの上面開口部２が重なり合うため、この重なり合う箇所ができるだけ小さくなるように構成されたものである。【００２２】  容器本体１ｂの折り畳み縁５は長辺の折り縁３と角折り縁４のなす角の二等分方向（即ち４５度の傾斜）に形成され、内側に折り畳まれやすいように外側が凹んだヒンジ状になっている。【００２３】  従って、この折り畳み縁５を設けていない対向側壁部６を内側に折り畳むと折り縁３と角折り縁４の作用により、折り畳み縁５を設けている側壁部６は、折り畳み縁５を介して内側に折り畳まれ、容器本体１ｂの上面開口部２の中央付近が重なり合う形で折り畳まれることとなる。【００２４】  また、食品などを入れて使用する際、蓋体８を容器本体１ａ．１ｂの上面開口部２に嵌合し得るように構成したから、密閉状態を可能にし、且つ、使用していない時は側壁部６を内側に折り畳んだ状態で前記蓋体８が偏平状態となった容器本体１ａ．１ｂに嵌合し得るように、容器本体１ａ．１ｂの底部外周に立上り片７を突設したので、前記蓋体８とこの底部外周の立上り片７を嵌合させて蓋をすれば、容器本体をコクパクトに折り畳んだ状態を保持することができる。【００２５】  また、蓋体８は蓋体８の上部９が凹型に形成されている。従って容器本体１ａ．１ｂを立設させて蓋をした際には、凹部分が容器本体１ａ．１ｂの上面開��部２に嵌合閉塞するので中折れしにくい構成となっている。【００２６】  また、再度使用する時は、蓋体８を取り外し、いずれかの対向側壁部６の内側を外側に押し開けば、それぞれ側壁部６が折り縁３と折り畳み縁５により連動して立設状態となり食品等を収容可能となる。【００２７】  また、本考案は、容器本体１ａ．１ｂ、及び蓋体８共に素材はポリプロピレン、又はポリエチレン、又はシリコン等の合成樹脂で構成されている。
【符号の説明】
【００２８】  １ａ．１ｂ  容器本体
２  容器本体の上面開口部
３  折り縁
４  角折り縁
５  折り畳み縁
６  側壁部
７  底部外周の立上がり片
８  蓋体
９  蓋体の上部に設けた凹部分
１０  容器本体底部
【図１】
0003167921.tif 000003
【図２】
0003167921.tif 000004
【図３】
0003167921.tif 000005
【図４】
0003167921.tif 000006
【図５】
0003167921.tif 000007
【図６】
0003167921.tif 000008
【図７】
0003167921.tif 000009
【図８】
0003167921.tif 000010
【図９】
0003167921.tif 000011